(57)【要約】【課題】ダイナミックレンジを確保しつつ、長時間露出画像と短時間露出画像とでぶれ幅の違いを低減し、合成した画像の違和感を低減して画質を向上させることができる、撮像装置を提供する。【解決手段】複数の画素３１が行列状に二次元配置された画素部３と、画素部３に供給するリセット信号とリード信号の印加タイミングを制御するタイミングジェネレータ２とを有し、画素部３１の奇数行に配置された複数の画素で構成される第１の画素群に対して長時間露出を１回行う間に、画素部３１の偶数行に配置された複数の画素で構成される第２の画素群に対して複数回の短時間露出を行うことを特徴とする。【選択図】図３
2014057268.tif 000002
【特許請求の範囲】
【請求項１】
複数の画素が行列状に二次元配置された画素部と、
前記画素部に供給するリセット信号とリード信号の印加タイミングを制御するタイミングジェネレータとを有し、
前記画素部の複数の画素で構成される第１の画素群に対して長時間露出を１回行う期間に、前記第１の画素群と異なる複数の画素で構成される第２の画素群に対し、所定の時間間隔をあけて２回以上の短時間露出を行い、
前記第１の画素群に対して前記リセット信号を印加してから前記リード信号を印加するまでの時間と、前記第２の画素群に対して最初の前記リセット信号を印加してから最後の前記リード信号を印加するまでの時間が等しいことを特徴とする撮像装置。
【請求項２】
複数の画素が行列状に二次元配置された画素部と、
前記画素部に供給するリセット信号とリード信号の印加タイミングを制御するタイミングジェネレータとを有し、
前記画素部の複数の画素で構成される第１の画素群に対して長時間露出を１回行う期間に、前記第１の画素群と異なる複数の画素で構成される第２の画素群に対して複数回の短時間露出を行うことを特徴とする撮像装置。
【請求項３】
前記第２の画素群に対する複数回の前記短時間露出は連続して行うことを特徴とする、請求項２に記載の撮像装置。
【請求項４】
前記第２の画素群に対する複数回の前記短時間露出は、少なくとも前記第１の画素群に対する前記リセット信号とほぼ同じタイミングで前記リセット信号を印加して短時間露出を行う第１の短時間露出画像と、前記第１の画素群に対する前記リード信号とほぼ同じタイミングで前記リード信号を印加して短時間露出を行う第２の短時間露出画像を撮像することを特徴とする、請求項２に記載の撮像装置。
【請求項５】
複数の画素が行列状に二次元配置された画素部と、
前記画素部に供給するリセット信号とリード信号の印加タイミングを制御するタイミングジェネレータと、
前記画素部から入力されるアナログの画素信号をデジタルの画素信号に変換する積分型Ａ／Ｄコンバータとを有し、
前記画素部の複数の画素で構成される第１の画素群に対して長時間露出を１回行う期間に、前記第１の画素群と異なる複数の画素で構成される第２の画素群に対して複数回の短時間露出を行い、前記積分型Ａ／Ｄコンバータにおいて、前記複数回の短時間露出で出力される前記画素信号を平均化して１枚の短時間露出画像を形成する画素信号に変換することを特徴とする撮像装置。
【発明の詳細な説明】
【技術分野】
【０００１】
本実施形態は、撮像装置に関する。
【背景技術】
【０００２】
デジタルカメラなどの撮像装置では、被写体の放つ光の強さによる光のエネルギー（露光量）をイメージセンサが計測し、画像上の各画素の輝度を決定している。イメージセンサが計測することができる露光量の範囲（以下、ダイナミックレンジと示す）は、各画素が蓄積することができる電荷量（飽和電荷量）に依存している。
【０００３】
一般的に、撮像装置のダイナミックレンジは人間の目よりも狭い。このため、明暗の差が大きい被写体を撮影すると、被写体の明るい部分に対応する画素に蓄積される電荷量が飽和電荷量を超えてしまい、撮像した画像では明るい部分の細部が見えなくなってしまうという問題があった。
【０００４】
この問題を解決すべく、撮像装置のダイナミックレンジを拡張する技術が数多く提案されている。中でも、ダイナミックレンジを拡張する方法として長時間の露出を行った画像と、短時間の露出を行った画像とを合成する方法が一般的に用いられている。
【０００５】
ダイナミックレンジの拡張方法は、主に次の二つの方法に大別される。一つ目の方法は、長時間の露出を行って被写体の画像を撮像した後に、引き続き同じ被写体に対して短時間の露出を行って画像を撮像し、両画像を合成する方法である。（以下、長時間の露出により被写体の撮像をして得られる画像を長時間露出画像、短時間の露出により被写体の撮像をして得られる画像を短時間露出画像と示す。）
二つ目の方法は、イメージセンサの走査ラインを、長時間露出を行うラインと短時間露出を行うラインとに分け、短時間露出を行うラインのリセットのタイミングを、長時間露出を行うラインのリセットのタイミングよりも遅らせて、読み出しは全てのラインを同一のタイミングで行うことにより、露出時間が異なる画像（すなわち、長時間露出画像と短時間露出画像）を取得し合成する方法である。
【０００６】
しかしながら、これらの方法は、長時間露出画像を得るために被写体を撮像している撮像時間と、短時間露出画像を得るために被写体を撮像している撮像時間とが一致していないために、撮像した画像における被写体のぶれ幅が異なってしまう。このため、特に移動している被写体を撮像する場合には、合成した画像が違和感のある画像となってしまうという問題があった。
【先行技術文献】
【特許文献】
【０００７】
【特許文献１】特開２０１１−２４４３５１号公報
【特許文献２】特開２０１０−２８３６２４号公報
【特許文献３】特開２００７−１２４１３７号公報
【発明の概要】
【発明が解決しようとする課題】
【０００８】
そこで、本実施形態は、以上の点に鑑みてなされたもので、ダイナミックレンジを拡張しつつ、長時間露出画像と短時間露出画像とでぶれ幅の違いを低減し、合成した画像の違和感を低減して画質を向上させることができる、撮像装置を提供することを目的とする。
【課題を解決するための手段】
【０００９】
本実施形態の撮像装置は、複数の画素が行列状に二次元配置された画素部と、前記画素部に供給するリセット信号とリード信号の印加タイミングを制御するタイミングジェネレータとを有し、前記画素部の複数の画素で構成される第１の画素群に対して長時間露出を１回行う期間に、前記第１の画素群と異なる複数の画素で構成される第２の画素群に対して複数回の短時間露出を行うことを特徴とする。
【図面の簡単な説明】
【００１０】
【図１】本実施形態に係わる撮像装置の構成の一例を説明するブロック図。
【図２】本実施形態に係わるイメージセンサ１の構成を説明する図。
【図３】イメージセンサ１の駆動方法を説明するタイミングチャート。
【図４】第２の実施形態に係わる撮像装置の構成の一例を説明するブロック図。
【発明を実施するための形態】
【００１１】
以下、図面を参照して実施形態を説明する。
【００１２】
（第１の実施形態）
まず、図１を参照して、本実施形態に係わる撮像装置の構成を説明する。図１は、本実施形態に係わる撮像装置の構成の一例を説明するブロック図である。
【００１３】
本実施形態に係わる撮像装置は、イメージセンサ１と、ＩＰＳ（Image Signal Processor、以下、画像信号処理部６と示す）と、フレームバッファ７とから主に構成される。
【００１４】
イメージセンサ１は、行列状に複数の画素が二次元配置された画素部３と、画素部３に対して電荷蓄積開始のタイミングを制御する信号（以下、リセット信号と示す）や、蓄積した電荷の読み出しのタイミングを制御する信号（以下、リード信号と示す）の印加タイミングを制御し、当該画素部３の駆動動作を制御するタイミングジェネレータ２と、画素部３から出力される画素信号をアナログ信号からデジタル信号に変換するＡ／Ｄコンバータ４と、Ａ／Ｄコンバータ４から出力されるデジタルの画素信号を一時的に格納するラインバッファ５とを備えている。
【００１５】
フレームバッファ７は、１フレーム分の長時間露出画像を構成する画素信号と、複数フレーム分の短時間露出画像を構成する画素信号（少なくとも、１フレーム分の長時間露出画像の露出時間内に取得される複数の短時間露出画像を構成する画素信号）とを一時的に格納する容量を持つ。フレームバッファ７には、ラインバッファ５から出力されるデジタルの画素信号が、画像信号処理部６を介して入力される。
【００１６】
画像信号処理部６は、フレームバッファ７に格納されている１フレーム分の長時間露出画像と、当該長時間露出画像の露出時間内に取得された複数の短時間露出画像とを合成し、ダイナミックレンジの広い出力画像を生成して外部に出力する。なお、画像信号処理部６では、上述の画像合成を行う際に、ホワイトバランス調整や色差調整などの各種補正・調整処理なども必要に応じて行われる。
【００１７】
次に、イメージセンサ１の駆動方法について、図２と図３とを用いて説明する。図２は、本実施形態に係わるイメージセンサ１の構成を説明する図である。また、図３は、イメージセンサ１の駆動方法を説明するタイミングチャートの１例である。図２に示すように、本実施形態に係わるイメージセンサ１の画素部３は、２ｎ行×ｍ列の行列状に２次元配置された複数の画素３１で構成されている。画素部３の各行の１列目に配置された画素３１（図２においては、左端に配置された第０列の画素３１）には、リセット信号線７とリード信号線８とが接続されている。リセット信号線７から供給されるリセット信号と、リード信号線８から供給されるリード信号が各画素３１に印加されるタイミングは、タイミングジェネレータ２によって制御されている。
【００１８】
なお、第０列の画素３１に印加されるリセット信号またはリード信号は、図示しない信号線を通じて同じ行の他の画素３１にも印加される。例えば、第０行第０列の画素３１（図２においては、画素部３１の最上列の左端の画素３１）にリセット信号が印加されると、１行目の他の（ｍ−１）個の画素３１にも同じタイミングでリセット信号が印加される。従って、タイミングジェネレータ２は、画素部３の各画素３１に対し、リセット信号及びリード信号を供給するタイミングを行単位で制御することができる。（すなわち、タイミングジェネレータ２は、行単位で画素部３の駆動動作を制御することができる。）
リセット信号が印加されると、画素３１に蓄積されている電荷が基準電位にリセットされる。また、被写体からの入射光をその光量に応じた量の電荷に光電変換し、変換された電荷が新たに画素３１に蓄積される（露出開始）。リード信号が印加されると電荷の蓄積が停止され（露出終了）、それまでに蓄積された電荷が画素信号としてＡ／Ｄコンバータ４へ出力される（画素信号の読み出し）。画素部３を構成する複数の画素３１は、長時間露出を行う第１の画素群と、短時間露出を行う第２の画素群とから構成される。本実施形態では、例えば奇数行（ライン０、ライン２、ライン４、…、ライン（２ｎ−２））の画素３１を第１の画素群とし、偶数行（ライン１、ライン３、ライン、…、ライン（２ｎ−１））の画素３１を第２の画素群として説明を行うが、第１の画素群と第２の画素群の分け方はこれに限定されない。
【００１９】
次に、画素部３１の各ラインに印加されるリセット信号とリード信号のタイミングを、図３を用いて説明する。図３に示すように時刻ｔ０において、最上部のライン０の左端の画素３１に対し、パルス状のリセット信号７０が印加される。印加されたリセット信号７０は、ライン０の他の（ｍ−１）個の画素３１にも同時に印加される。（本実施形態のイメージセンサ１においては、全てのラインにおいて、左端の画素３１に対してリセット信号やリード信号が印加されると、同じ列に配置されている他の画素３１にも同時に当該信号が印加される構成をとっている。従って、以下の説明においては上述の状態を、所定のラインの画素に対して所定の信号が印加される、と記述する。）
リセット信号７０が印加されると、ライン０のｍ個の画素３１にそれまでに蓄積されている電荷が基準電位にリセットされ、新たな電荷の蓄積が開始される（露出開始）。続いて時刻ｔ１において、上から２番目のライン１の各画素３１に対し、パルス状のリセット信号７１ａが印加される。リセット信号が印加されると、ライン０と同様に、ライン１のｍ個の画素３１の露出が開始される。以下、ライン２、ライン３、…、ライン２ｎ−１の２ｎ個のラインについても、時刻ｔ２、ｔ３、…のタイミングで順次パルス状のリセット信号７２、７３ａ、…が印加され、露出が開始される。なお、ｔ０、ｔ１、ｔ２、ｔ３、…の間隔は非常に微小かつ等間隔になるように制御されている。
【００２０】
続く時刻ｔ４において、ライン１の各画素３１に対し、パルス状のリード信号８１ａが印加される。リード信号が印加されると、ライン１のｍ個の画素３１において電荷の蓄積が停止され（露出終了）、それまでに蓄積された電荷が画素信号としてＡ／Ｄコンバータ４へ出力される（画素信号の読み出し）。すなわち、ライン１の各画素３１の露出時間Ｔｓは、（ｔ４―ｔ１）となる。
【００２１】
リード信号８１ａによってライン１の各画素３１の画素信号が読みだされると、ライン１の各画素３１に対し、パルス状のリセット信号７１ｂが印加され、次の露出が開始される。露出開始からＴｓが経過すると、ライン１の各画素３１に対しパルス状のリード信号８１ｂが印加され、２回目の露出が終了する。同様にして、ライン１にはパルス状のリセット信号７１とパルス状のリード信号８１とが繰り返し印加され、露出時間Ｔｓの画素信号が逐次Ａ／Ｄコンバータ４へ出力される。
【００２２】
すなわち、リセット信号７１ｃとリード信号８１ｃ、リセット信号７１ｄとリード信号８１ｄ、リセット信号７１ｅとリード信号８１ｅ、リセット信号７１ｆとリード信号８１ｆ、リセット信号７１ｇとリード信号８１ｇ、リセット信号７１ｈとリード信号８１ｈの間隔が全てＴｓとなるように、タイミングジェネレータ２によってリセット信号とリード信号の印加タイミングが制御されている。
【００２３】
ライン３の各画素３１も、ライン１の各画素３１と同様に露出時間Ｔｓの短時間露出が繰り返し行われるように、タイミングジェネレータ２によってリセット信号７３ａ〜７３ｈとリード信号８３ａ〜８３ｈの印加タイミングが制御されている。すなわち、リセット信号７３ａとリード信号８３ａ、リセット信号７３ｂとリード信号８３ｂ、リセット信号７３ｃとリード信号８３ｃ、リセット信号７３ｄとリード信号８３ｄ、リセット信号７３ｅとリード信号８３ｅ、リセット信号７３ｆとリード信号８３ｆ、リセット信号７３ｇとリード信号８３ｇ、リセット信号７３ｈとリード信号８３ｈの間隔が全てＴｓとなるように、タイミングジェネレータ２によってリセット信号とリード信号の印加タイミングが制御されている。
【００２４】
なお、ライン５、ライン７、…、ライン（２ｎ−１）の偶数行の各画素３１に対しても、ライン１やライン３と同様に露出時間Ｔｓの短時間露出が繰り返し行われる。
【００２５】
一方、ライン０の各画素３１に対し、時刻ｔ５においてパルス状のリード信号８０が印加される。リード信号が印加されると、ライン０のｍ個の画素３１において電荷の蓄積が停止され（露出終了）、それまでに蓄積された電荷が画素信号としてＡ／Ｄコンバータ４へ出力される（画素信号の読み出し）。すなわち、ライン０の各画素３１の露出時間Ｔｌは、（ｔ５―ｔ０）となる。同様に、ライン２の各画素３１に対しても、ｔ７―ｔ２＝Ｔｌとなる時刻ｔ７において、パルス状のリード信号８２が印加される。リード信号８２が印加されると、ライン２の各画素３１から露出時間Ｔｌの画素信号がＡ／Ｄコンバータ４へ出力される。
【００２６】
なお、ライン４、ライン６、…、ライン２ｎ−２の奇数行の各画素３１に対しても、ライン０やライン２と同様に露出時間Ｔｌの長時間露出が行われる。
【００２７】
なお、奇数行に最初に印加されたリセット信号からリード信号までの時間（＝ｔ５―ｔ０）と、偶数行に最初に印加されたリセット信号から８番目に印加されたリード信号までの時間（＝ｔ６―ｔ１）とが略同じ時間になるように、各行へのリセット信号及びリード信号の印加タイミングが制御されている。すなわち、長時間露出における露出開始から露出終了までの時間と、短時間露出における１回目の露出開始から８回目の露出終了までの時間が略等しくなるようにタイミングが制御されている。また、偶数行に印加されるリセット信号から次のリード信号までの時間間隔は全て等しくなるように、リセット信号及びリード信号の印加タイミングが制御されている。すなわち、１回目の短時間露出から８回目の短時間露出まで、８回の露出時間が全て等しくなるようにタイミングが制御されている。
【００２８】
上述のようにタイミング制御されたリセット信号及びリード信号によって得られた画素信号から、出力画像を生成する方法について説明する。
【００２９】
リード信号８１ａによってライン１の各画素３１から読み出された画素信号、リード信号８３ａによってライン３の各画素３１から読み出された画素信号、…のように、偶数行の各画素３１に対して最初に印加されたリセット信号７１ａ、７３ａ、…から露出された画素信号は、Ａ／Ｄコンバータ４でデジタル化された後にラインバッファ５から画像信号処理部６を介してフレームバッファ７に格納される。これらの画素信号によって露出時間Ｔｓの第１の短時間露出画像が生成される。
【００３０】
更に、リード信号８１ｂによってライン１の各画素３１から読み出された画素信号、リード信号８３ｂによってライン３の各画素３１から読み出された画素信号、…のように、偶数行の各画素３１に対して２番目に印加されたリセット信号７１ｂ、７３ｂ、…から露出された画素信号も、Ａ／Ｄコンバータ４でデジタル化された後にラインバッファ５から画像信号処理部６を介してフレームバッファ７に格納される。これらの画素信号によって露出時間Ｔｓの第２の短時間露出画像が生成される。
【００３１】
同様に、偶数行の各画素３１に対して３番目、４番目、…、８番目に印加されたリセット信号によって読み出された画素信号も、Ａ／Ｄコンバータ４でデジタル化された後にラインバッファ５から画像信号処理部６を介してフレームバッファ７に格納される。これらの画素信号によって、露出時間Ｔｓの第３の短時間露出画像、第４の短時間露出画像、…、第８番目の短時間露出画像が生成される。
【００３２】
一方、リード信号８０によってライン０の各画素３１から読み出された画素信号、リード信号８２によってライン２の各画素３１から読み出された画素信号、…のように、奇数行の各画素３１に対して最初に印加されたリセット信号７０、７２、…から露出された画素信号は、Ａ／Ｄコンバータ４でデジタル化された後にラインバッファ５から画像信号処理部６を介してフレームバッファ７に格納される。これらの画素信号によって露出時間Ｔｌの長時間露出画像が生成される。
【００３３】
フレームバッファ７に格納されている８枚の短時間露出画像を、画像信号処理部６に読み出して平均化し、１枚の短時間露出画像を生成する。更に、フレームバッファ７から長時間露出画像を画像信号処理部６に読み出し、平均化された短時間露出画像と合成することによって、出力画像が生成される。
【００３４】
このように、本実施形態によれば、画素部３を構成する画素３１を、長時間露出を行う第１の画素群と、短時間露出を行う第２の画素群とに分け、第１の画素群に対して長時間露出を行っている同時間帯に、第２の画素群に対して短時間露出を複数回連続して行っている。第２の画素群における複数回の短時間露出によって得られる複数枚の短時間露出画像を平均化して長時間露出画像と合成して出力画像を生成することで、長時間露出画像の撮像時間と（平均化された）短時間露出画像の撮像時間帯及び撮像時間がほぼ一致するため、被写体のぶれ量がほぼ一致するため違和感のない画像を得ることができ、出力画像の画質を向上させることができる。
【００３５】
なお、上述した一例では、短時間露出時間を長時間露出時間の８分の１とし、１枚の長時間露出画像の撮像時間内に８枚の短時間露出画像を撮像するようにタイミングジェネレータ２でリセット信号及びリード信号の印加タイミングを制御しているが、短時間露出時間を長くして、１枚の長時間露出画像の撮像時間内に例えば４枚の短時間露出画像を撮像するように制御したり、逆に、短時間露出時間を短くして、１枚の長時間露出画像の撮像時間内に例えば１６枚の短時間露出画像を撮像するよう制御したりしてもよい。
【００３６】
また、長時間露出画像の撮像時間とほぼ同時間帯に、複数の短時間露出画像も撮像すればよいため、少なくとも２枚の短時間露出画像を取得すればよい。長時間露出画像に対するリセット信号とほぼ同じタイミングでリセット信号を印加して短時間露出を行う第１の短時間露出画像と、長時間露出画像に対するリード信号とほぼ同じタイミングでリード信号を印加して短時間露出を行う第２の短時間露出画像を撮像するとなお良い。すなわち、図３に示す１枚目の画像と８枚目の短時間露出画像は取得し、２枚目から７枚目の短時間露出画像は必ずしも取得しなくてもよい。例えば、図３のライン１において、リセット信号７１ａとリード信号８１ａ、及び、リセット信号７１ｈとリード信号８１ｈは必ず印加して、２枚の短時間露出画像を形成する画素信号を取得する必要があるが、リセット信号７１ｂからリード信号８１ｇは必ずしも印加する必要はない。また、１枚目と８枚目の間にも１以上の短時間露出画像を取得してもよい。より細かく、多くの短時間露出画像を取得することでよりダイナミックレンジを拡大し、被写体のぶれ量を低減できるが、読み出し動作による消費電力の増大、またバッファの容量増大による面積増大につながるため、仕様により最適な調整を行うとよい。
【００３７】
更に、上述した一例では、上部のライン（ライン０）から下部のライン（ライン（２ｎ−１））に向かって１行ずつ順にリセット信号を印加する方法（フォーカルプレーンシャッタ、またはローリングシャッタ）を用いているが、全てのラインに同時にリセット信号を印加する方法（グローバルシャッタ）を用いてもよい。グローバルシャッタの場合、図３において、各ラインに対して最初のリセット信号７０、７１ａ、７２、７３ａは同じ時刻（例えばｔ０）に印加され、全てのラインで同時に露出が開始される。また、長時間露出を行う奇数ラインに印加されるリード信号８０、８２と、偶数ラインに印加される８個目のリード信号８１ｈ、８３ｈも同じ時刻（例えばｔ５）に印加され、全てのラインで同時に露出が終了して画素信号の読み出しが行われる。
【００３８】
すなわち、グローバルシャッタの場合、長時間露出画像の撮像時間と平均化された短時間露出画像の撮像時間とが完全に一致するので、被写体のぶれ量が完全に一致し、ローリングシャッタの場合よりもより違和感のない画像を得ることができ、出力画像の画質をさらに向上させることができる。
【００３９】
（第２の実施形態）
上述した第１の実施形態の撮像装置では、長時間露出画像１枚分の撮像時間内に取得した複数枚の短時間露出画像を構成する全ての画素信号を一旦フレームバッファ７に格納し、画像信号処理部６において平均化した短時間露出画像を生成してから長時間露出画像と合成しているが、本実施形態においては、画素部３から出力されるアナログの画素信号をデジタル変換するときに積分型のＡ／Ｄコンバータを用い、デジタル化と同時に平均化した短時間露出画像を生成する点が異なっている。なお、イメージセンサ１´において、画素部３の各ラインにリセット信号とリード信号を印加するタイミング制御は、第１の実施形態と同様である。
【００４０】
図４は、第２の実施形態に係わる撮像装置の構成の一例を説明するブロック図である。すなわち、本実施形態の撮像装置は、Ａ／Ｄコンバータ４のかわりに積分型Ａ／Ｄコンバータ４´を用いる点と、ラインメモリ５を用いない点、及び、フレームバッファ７´の容量が第１の実施形態と異なる（図４参照）。その他の構成要素は第１の実施形態と構成要素が同じであるので、同じ符号を付して説明は省略する。
【００４１】
このように撮像装置を構成することで、フレームバッファ７´は、１フレーム分の長時間露出画像を構成する画素信号と１フレーム分の短時間露出画像を構成する画素信号を格納できるだけの容量を確保すればよいため、図１に示すフレームバッファ７よりも容量を低減することができ、装置規模を縮小することができる。また、ラインメモリ５を用いずに複数の短時間露出画像を平均化することができるため、装置の構造を簡素化することができる。
【００４２】
更には、全ての画素を積分型Ａ／Ｄにて短時間露光を複数回の画像を足し続けた場合、何度もリセット及び読み出し動作を繰り返すのでノイズも加算されてしまい画質が低下するという欠点が生じるが、本実施形態のように長時間露光と短時間露光を組み合わせ合成することによって、ノイズを抑え且つ画質を向上することが可能となる。
【００４３】
なお、本実施形態においても上述した第１の実施形態と同様に、１枚の長時間露出画像の撮像時間内に撮像する短時間露出画像の枚数は８枚に限定されるものではなく、例えば４枚や１６枚など、最適な枚数に設定することができる。
【００４４】
更に、リセット信号の印加方法も、ローリングシャッタでなくグローバルシャッタでもよい。
【００４５】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４６】
１、１´…イメージセンサ、２…タイミングジェネレータ、３…画素部、４…Ａ／Ｄコンバータ、４´…積分型Ａ／Ｄコンバータ、５…ラインバッファ、６…画像信号処理部、７、７´…フレームバッファ
７０、７１ａ、７１ｂ、７１ｃ、７１ｄ、７１ｅ、７１ｆ、７１ｇ、７１ｈ、７２、７３ａ、７３ｂ、７３ｃ、７３ｄ、７３ｅ、７３ｆ、７３ｇ、７３ｈ…リセット信号、８０、８１ａ、８１ｂ、８１ｃ、８１ｄ、８１ｅ、８１ｆ、８１ｇ、８１ｈ、８２、８３ａ、８３ｂ、８３ｃ、８３ｄ、８３ｅ、８３ｆ、８３ｇ、８３ｈ…リード信号、
【図１】
2014057268.tif 000003
【図２】
2014057268.tif 000004
【図３】
2014057268.tif 000005
【図４】
2014057268.tif 000006